(57)【要約】【課題】  原稿の忠実再現性と、不正コピーや改竄に対する特定情報の堅牢性とを両立させ、しかもデジタル画像に埋め込まれた特定情報を簡単な装置で抽出できるデジタル画像の作成・送信・受信装置およびその配受信システムを提供する。【解決手段】  白枠データ４０１を原稿データ４０２の周囲に貼り付けた画像データ４０３に、著作者の署名データと原稿タイトルデータとからなる原稿特定データ４０４を埋め込み、原稿特定データ４０２の埋め込む位置をデジタル画像の複製ごとに移動させる。デジタル画像の利用者を特定する利用者特定情報が、原稿特定データの埋め込み位置に関連付けられている。【選択図】図４
2006352628.tif 000002
【特許請求の範囲】
【請求項１】
原稿特定情報を原稿に埋め込んで電子データ化したデジタル画像を作成するデジタル画像作成装置において、
デジタル画像を作成する毎に、前記原稿特定情報を基準位置から所定の規則に従って異なる位置に移動して埋め込む原稿特定情報の埋め込み位置移動手段
を有することを特徴とするデジタル画像作成装置。
【請求項２】
前記埋め込み位置移動手段が、前記原稿特定情報を基準位置から平行移動させる平行移動手段を含むことを特徴とする請求項１に記載のデジタル画像作成装置。
【請求項３】
前記埋め込み位置移動手段が、前記原稿特定情報を基準位置から所定の規則に従って異なる角度に回転移動させる回転移動手段を含むことを特徴とする請求項１もしくは２に記載のデジタル画像作成装置。
【請求項４】
前記原稿特定情報の埋め込み位置の移動量と、前記デジタル画像を特定する画像特定情報とを関連付けることを特徴とする請求項１から３のいずれかに記載のデジタル画像作成装置。
【請求項５】
前記画像特定情報が、前記デジタル画像の利用者を特定する利用者特定情報を含むことを特徴とする請求項４に記載のデジタル画像作成装置。
【請求項６】
前記原稿特定情報が、前記原稿の著作者が手書きした署名または前記原稿の所有権者が手書きした署名のいずれかを含むことを特徴とする請求項１から５のいずれかに記載のデジタル画像作成装置。
【請求項７】
前記原稿特定情報を前記デジタル画像の画像領域外に埋め込むことを特徴とする請求項６に記載のデジタル画像作成装置。
【請求項８】
前記原稿特定情報の領域内もしくは領域周辺に電子透かし画像を埋め込む電子透かし画像埋め込み手段が付加されていることを特徴とする請求項７に記載のデジタル画像作成装置。
【請求項９】
請求項１から８のいずれかに記載のデジタル画像作成装置を用いて作成したデジタル画像が電子データ記録媒体に記録されているデジタル画像記録媒体。
【請求項１０】
請求項１から８のいずれかに記載のデジタル画像作成装置を用いて作成したデジタル画像データを、伝送系を介して送受信するデジタル画像送受信方法。
【請求項１１】
請求項１から８のいずれかに記載のデジタル画像作成装置を用いて作成したデジタル画像データを、伝送系を介して送信するデジタル画像送信装置。
【請求項１２】
前記利用者の特定情報と、前記利用者へ送信するデジタル画像に付与されている原稿特定情報の埋め込み位置とを関連付けした配信データを作成する配信データ作成手段と、
前記配信データを作成した後に、前記デジタル画像を前記利用者のデジタル画像受信装置へ送信する送信制御手段と、
を有することを特徴とする請求項１１に記載のデジタル画像送信装置。
【請求項１３】
請求項１から８のいずれかに記載のデジタル画像作成装置を用いて作成したデジタル画像を、伝送系を介して受信するデジタル画像受信装置。
【請求項１４】
前記デジタル画像の画像信号から原稿信号と原稿特定情報信号とを分離する画像信号分離手段を有することを特徴とする請求項１３に記載のデジタル画像受信装置。
【請求項１５】
請求項１から８のいずれかに記載のデジタル画像作成装置を用いて作成したデジタル画像情報を配信、受信するデジタル画像配受信システムであって、
請求項１から８のいずれかに記載のデジタル画像作成装置と、
請求項１０もしくは１１に記載のデジタル画像送信装置と、
請求項１２もしくは１３に記載のデジタル画像受信装置と
を有することを特徴とするデジタル画像配受信システム。
【請求項１６】
請求項９に記載のデジタル画像記録媒体と、前記デジタル画像記録媒体に記録されているデジタル画像データから画像を再生するデジタル画像再生装置とを有することを特徴とするデジタル画像配受信システム。
【発明の詳細な説明】
【技術分野】
【０００１】
本発明は、写真や絵画などの原稿を電子データ化したデジタル画像を作成するデジタル画像作成装置に関し、具体的には原稿を特定する原稿特定情報と、配布・配信するデジタル画像の利用者を特定する利用者特定情報とを原稿に埋め込んでデジタル画像を作成するデジタル画像作成装置に関する。また本発明は、本発明によるデジタル画像作成装置で作成したデジタル画像を電子データ記録媒体に記録したデジタル画像記録媒体に関する。さらに本発明は、本発明によるデジタル画像作成装置で作成したデジタル画像を、送信・受信する装置および配受信する配受信システムに関する。
【背景技術】
【０００２】
コンピュータ技術およびデジタル画像技術の進展に伴い、一般の家庭にあるパソコンを利用して写真・絵画・デザイン画、イラストなどのデジタル画像が簡単にコピーできるようになってきた。このような背景から、デジタル画像の著作権保護が社会的な重要課題になっている。そこで、デジタル画像の不正コピーや改竄を防止するために、原稿特定情報や利用者特定情報などの著作権保護情報（以下、断りのない限り単に特定情報と言う）を原稿に埋め込んでデジタル画像を作成する特定情報埋め込み装置がいろいろ提案されている。
【０００３】
従来の代表的な特定情報埋め込み装置として、例えば下記特許文献１に記載された電子透かし埋め込み装置がある。これは、特定情報の画像を人間の目では検知できない微細な画素で構成して、原稿の画像の中に埋め込む装置である。電子透かし画像の形成方法としては、以下に示すように原稿の画像データを画像処理する方法が一般によく知られている。
（イ）原稿の３色色分解画像（イエロ・マゼンタ・シアン）の中で人間の目の分解能が最も低いイエロの色分解画像データを加工して電子透かし画像を形成する方法。
（ロ）原稿の輝度データを加工して電子透かし画像を形成する方法。
また、電子透かし画像を抽出するには、高精度な画像解析機能を有する特殊な画像処理装置が必要であった。
【特許文献１】特開平１１−４１４５３号公報
【発明の開示】
【発明が解決しようとする課題】
【０００４】
しかし、電子透かし埋め込み装置で作成したデジタル画像は、透かし画像が埋め込まれた部分の画像情報が加工されているため、原稿の画像情報を忠実に再現ができない問題があった。また、このデジタル画像をプリンタで出力した場合や低解像度のフォーマットにコピーした場合、出力プリンタの解像度不足や電子データ記録装置の記録分解能不足によって透かし画像が再現できず、特定情報が消失してしまう問題があった。
【０００５】
そこで本発明は、原稿の忠実再現性と、不正コピーや改竄に対する特定情報の堅牢性とを両立させたデジタル画像作成装置を提供することを目的とする。また本発明の他の目的は、本発明によるデジタル画像作成装置で作成したデジタル画像を記録した記録媒体を提供することである。また本発明の他の目的は、本発明によるデジタル画像作成装置で作成したデジタル画像を、送信・受信するデジタル画像送信装置・デジタル画像受信装置、および配受信するデジタル画像配受信システムを提供することである。
【課題を解決するための手段】
【０００６】
上述したような課題を解決するために、本発明のデジタル画像作成装置は、原稿を特定する原稿特定情報を原稿に埋め込んで電子データ化したデジタル画像を作成するデジタル画像作成装置において、原稿特定情報を基準位置から所定の規則に従って異なる位置に平行移動して埋め込む原稿特定情報の埋め込み位置移動手段と、原稿特定情報を基準角度から所定の規則に従って異なる角度に移動して埋め込む原稿特定情報の埋め込み角度移動手段の少なくともいずれかを有することを特徴とする。このような構成にすることによって、配布・配信されたデジタル画像を印刷機やプリンタで出力した場合でも、あるいは低解像度のフォーマットにコピーした場合でも著作者や利用者の特定情報が消失し難くなるため、不正コピーあるいは改竄に対する特定情報の堅牢性が向上する効果が得られる。
【０００７】
また、デジタル画像を特定する画像特定情報を原稿特定情報の埋め込み位置に関連付けるか、もしくは画像特定情報を原稿特定情報の埋め込み角度に関連付けることを特徴とする。このような構成にすることによって、特殊な画像処理装置を使わずにデジタル画像の利用者・購入者などの画像特定情報を簡単に特定できる効果が得られる。
【０００８】
また、原稿の著作者が手書きした署名または原稿の所有権者が手書きした署名のいずれかを含むことを特徴とする。このような構成にすることによって、原稿特定情報をディスプレイ装置に表示するなどの簡単な手段で原稿特定情報を目視で容易に抽出できる効果が得られる。
【０００９】
また、原稿特定情報をデジタル画像の画像領域外に埋め込むことを特徴とする。このような構成にすることによって、原稿全域の画像情報が忠実に再現できる効果が得られる。
【００１０】
また、本発明のデジタル画像記録媒体は、本発明によるデジタル画像作成装置で作成したデジタル画像が電子データ記録媒体に記録されていることを特徴とする。このような構成にすることによって、デジタル画像記録媒体の購入者・利用者が確実に特定できるため、デジタル画像の著作者・所有権者の著作権を保護することができる効果が得られる。
【００１１】
また、本発明のデジタル画像配受信システムは、本発明によるデジタル画像作成装置、デジタル画像送信装置、デジタル画像受信装置とから構成されている。このような構成にすることによって、デジタル画像の配信先である利用者を確実に特定できるため、デジタル画像の著作者・所有権者の著作権を保護することができる効果が得られる。
【発明の効果】
【００１２】
本発明のデジタル画像作成装置によれば、従来の電子透かし埋め込み装置に比べて、原稿の画像情報が忠実に再現され、かつ不正コピーや改竄に対する原稿特定情報の堅牢性に優れたデジタル画像が作成できる効果が得られる。また、本発明のデジタル画像記録媒体によれば、デジタル画像記録媒体の購入者・利用者が確実に特定できるため、デジタル画像の著作者・所有権者の著作権を保護することができる効果が得られる。また、本発明のデジタル画像配受信システムによれば、デジタル画像の配信先である利用者を確実に特定できるため、デジタル画像の著作者・所有権者の著作権を保護することができる効果が得られる。
【発明を実施するための最良の形態】
【００１３】
以下、本発明の実施の形態について図面を参照しながら説明する。
【００１４】
［第１の実施の形態］
図１は、本発明におけるデジタル画像作成装置の一構成例の主要部を示したブロック図である。
【００１５】
デジタル画像作成装置１００は、コンピュータ１０１と、原稿入力装置１０２と原稿特定情報入力装置１０３と画像特定情報作成装置１０４とデジタル画像出力装置１０５などの周辺装置とから構成されている。
【００１６】
コンピュータ１０１は、電子データを蓄積する電子データ蓄積部１０６と、電子データを演算処理する中央演算部１０７と、キーボードなどの入力部（図示していない）などから構成されている。
【００１７】
電子データ蓄積部１０６は、原稿入力装置１０２から出力された原稿データを蓄積する原稿データ蓄積部１０８と、原稿特定情報入力装置１０３から出力された原稿特定データを蓄積する原稿特定データ蓄積部１０９と、画像特定情報作成装置１０４から出力された画像特定データを蓄積する画像特定データ蓄積部１１０と、原稿特定データが原稿データに埋め込まれたデジタル画像データを蓄積するデジタル画像データ蓄積部１１１とから構成されている。
【００１８】
中央演算部１０７は、原稿データの周囲に白枠を貼り付ける白枠データ貼付け演算部１１２と、原稿データから原稿特定データを埋め込む領域を取得する原稿特定データ埋め込み領域演算部１１３と、画像特定データ読み出し信号によって画像特定データ蓄積部１１０から読み出された画像特定データに基づいて原稿特定データの埋め込み位置を算出する原稿特定データ埋め込み位置演算部１１４と、画像特定データ読み出し信号によって画像特定データ蓄積部１１０から読み出された画像特定データに基づいて原稿特定データの埋め込み角度を算出する原稿特定データ埋め込み角度演算部１１５と、原稿特定データ埋め込み位置演算部１１４もしくは原稿特定データ埋め込み角度演算部１１５の算出結果に基づいて原稿特定データを所定位置もしくは所定角度に移動して原稿データに埋め込む原稿特定データ埋め込み演算部１１６とから構成されている。
【００１９】
原稿入力装置１０２は、デジタルカメラ・デジタルスキャナなどのデジタル画像入力装置で構成されている。原稿特定情報入力装置１０３は、デジタルスキャナ・電子ペン入力装置・ワードプロセッサなどで構成されている。原稿特定情報としては、原稿の著作者・著作権者・所有権者などの印章・顔写真・直筆の署名あるいは原稿タイトルなどを用いる。中でも直筆の署名は、情報量が少なくしかも原稿特定情報が目視で簡単に識別できる点で好ましい。
【００２０】
画像特定情報作成装置１０４は第２のコンピュータである。尚、画像特定情報の作成はコンピュータ１０１で行ってもよい。画像特定情報としては、同一のデジタル画像を複製する際に付与する版番・刷順、デジタル画像（異種の画像を含む）の作成順に付与する通し番号、デジタル画像を利用あるいは購入する利用者特定情報、所望のデジタル画像をデジタル画像データ蓄積部１１１から読み出すための検索情報などを用いる。
【００２１】
デジタル画像出力装置１０５は、デジタル画像データを光ディスク・磁気ディスク・磁気テープ・半導体メモリなどの電子データ記録媒体に記録・蓄積する電子データ記録装置、デジタル画像データを通信手段で送信する画像送信装置、デジタル画像データを映像信号に変換してＣＲＴ・液晶・ＰＤＰなどの表示パネルに表示するディスプレイ装置、デジタル画像データを印字信号に変換して紙などの受像紙に印刷するデジタル印刷装置などで構成されている。
【００２２】
また必要に応じて、デジタル画像の利用者・購入者などの利用者特定情報を蓄積する利用者特定データ蓄積部を電子データ蓄積部１０６に設けても良い。さらに、利用者特定データと画像特定データとを関連付けした配信データを作成する配信データ作成部を中央演算部１０７に設け、配信データ作成部で作成した配信データ表を蓄積する配信データ蓄積部を電子データ蓄積部１０６に設けてもよい。
【００２３】
図２は、原稿特定データ埋め込み演算処理の流れを示したフローチャート図である。この図を用いて、原稿特定データを原稿データに埋め込む方法について以下に説明する。
【００２４】
（ステップＳ０２）原稿データ読み出し信号・原稿特定データ埋め込み形式選択信号・原稿特定データ読み出し信号・原稿特定データ埋め込み基準位置設定信号・画像特定データ読み出し信号が入力手段からコンピュータ１０１に入力される。尚、これらの入力信号に基づく演算処理はコンピュータプログラムによって制御される。
【００２５】
（ステップＳ０４）原稿読み出し信号に基づいて、所望の原稿データが原稿データ蓄積部１０８から読み出され中央演算部１０７に入力される。
【００２６】
（ステップＳ０６）原稿特定データ埋め込み形式選択信号に基づいて、図３に示すＡ形式とＢ形式のいずれかの形式の演算処理が中央演算部１０７で行われる。
【００２７】
Ａ形式は、図３ａ）に示すように、原稿３０１の画像領域外に白枠３０２を設け、白枠３０２に原稿特定情報３０３を埋め込む形式である。Ｂ形式は、図３ｂ）に示すように、原稿３０１の画像領域内に原稿特定情報３０３を埋め込む形式である。どちらの形式を選択するかは、著作者・利用者などの要望に応じて適宜選択して決定する。中でもＡ形式は、特に名画・芸術写真のような原稿に適した形式であり、原稿全域の画像情報が再現できる点で好ましい。
【００２８】
（ステップＳ０８）Ａ形式の選択信号が入力された場合は、白枠データ貼付け演算部１１２で原稿データの周囲に白枠データが貼り付けられる。
【００２９】
（ステップＳ１０）原稿特定データ読み出し信号に基づいて、原稿特定データが原稿特定データ蓄積部１１０から読み出され、原稿特定データ埋め込み領域演算部１１３に入力される。そして、入力された原稿特定データの大きさおよび形状に応じた原稿特定データ埋め込み領域が演算される。
【００３０】
（ステップＳ１２）Ａ形式の白枠付き原稿データもしくはＢ形式の白枠なし原稿データが原稿特定データ埋め込み位置演算部１１４に入力される。そして、原稿特定データ埋め込み領域演算部１１３から出力された原稿特定データ埋め込み領域と、原稿特定データ埋め込み基準位置設定信号に基づいて設定された基準位置と、画像特定データ読み出し信号によって画像特定データ蓄積部１１０から読み出された画像特定データとから、Ａ形式の白枠データもしくはＢ形式の原稿データの中に貼り付ける原稿特定データ埋め込み領域の平行移動量および移動方向が算出される。
【００３１】
（ステップＳ１４）もしくは、Ａ形式の白枠付き原稿データもしくはＢ形式の白枠なし原稿データが原稿特定データ埋め込み角度演算部１１５に入力される。そして、原稿特定データ埋め込み領域と、原稿特定データ埋め込み基準位置設定信号に基づいて設定された基準位置と、画像特定データ読み出し信号によって画像特定データ蓄積部１１０から読み出された画像特定データとから、Ａ形式の白枠データもしくはＢ形式の原稿データの中に貼り付ける原稿特定データ埋め込み領域の移動角度が算出される。
【００３２】
（ステップＳ１６）原稿特定データと、原稿特定データ埋め込み位置演算部１１４からの出力データと、原稿特定データ埋め込み角度演算部１１５からの出力データとが原稿特定データ埋め込み演算部１１６に入力され、原稿特定データ埋め込み領域に原稿特定データが埋め込められる。原稿特定データが埋め込められたデジタル画像１１７は、デジタル画像蓄積部１１１に蓄積され次回の複製時に供される。
【００３３】
次に、原稿特定データ埋め込み位置の算出例について図４を基に説明する。白枠データ４０１を原稿データ４０２の周囲に貼り付けた画像データ４０３（横：Ｘピクセル、縦：Ｙピクセル）を、図４ａ）に示すように画素（ピクセル）を単位とするx-y直交座標に割り付ける。点線で示した四角形ＡＢＣＤは原稿特定データの埋め込み領域４０４（横：ａピクセル（ａ＜Ｘ）、縦：ｂピクセル（ｂ＜Ｙ））であり、頂点Ｄは埋め込み領域４０４の位置を示す代表点である。Ｐ１（x１,y１）は埋め込み領域４０４を貼り付ける基準点、すなわち原稿特定データを埋め込む基準点である。
【００３４】
第１枚目のデジタル画像は、図４ｂ）に示すように埋め込み領域４０４を基準点Ｐ１（x１,y１）の位置に貼り付け、すなわち代表点（頂点Ｄ）を基準点Ｐ１（x１,y１）に合致させて貼り付け、その領域４０４内に原稿特定データを埋め込んで作成する。ここでは、著作者の署名データ（図中のManabu.M）と原稿タイトルデータ（図中のタイトル）とを原稿特定データとした。
【００３５】
第２枚目のデジタル画像は、図４ｃ）に示すように代表点をｘ軸のプラス方向に１ピクセル平行移動させたＰ２（x１+1,y１）の埋め込み領域４０４内に原稿特定データを埋め込んで複製する。同様に第３枚目以降のデジタル画像は代表点を１ピクセルずつ平行移動して複製する。このような方法により、（Ｘ―x１―ａ）枚のデジタル画像を複製することができる。また、移動方向および移動量を画像特定情報に関連付けることによって、複製したデジタル画像の版・刷・利用者・購入者などを特定することができる。
【００３６】
例えば、デジタル画像を第１版１００刷、第２版５０刷複製する場合について図４を用いて説明する。基準点からｙ軸方向へ移動させた代表点のｙ座標を版番に、基準点からｘ軸方向へ移動させた代表点のｘ座標を刷順に、また基準点からｘ軸方向への代表点の移動量を利用者に、それぞれを関連付ける。すなわち、第１版１００刷の場合は、代表点のｙ座標y１を第１版に、ｘ軸方向へ移動させた代表点のｘ座標x１、x１+1、x１+２、・・・x１+９９を刷順に、またｘ軸方向へ移動させた代表点の移動量０、＋１、＋２、・・・・＋９９を利用者に、それぞれ関連付ける。第２版５０刷の場合（図示していない）は、代表点を基準点からプラスｙ軸方向へ１ビット平行移動させた点（x１,y１+1）のｙ座標y１+1を第２版に関連付けし、刷順と利用者とは第１版１００刷の場合で説明した同様の方法で（x１,y１+1）のｘ座標を平行移動させて関連付ける。
【００３７】
尚、本図では代表点をｘ軸のプラス方向に１ピクセルずつ平行移動させたが、移動方向および移動量は本図に限定されるものではなく、目的に応じて適宜設定すればよい。例えば移動量を、不正コピーや改竄に用いられるプリンタや記録装置の想定されるプリント解像度や記録分解能以下に設定することによって、配布・配信したデジタル画像をプリンタで出力された場合でも、あるいは低解像度のフォーマットにコピーされた場合でも特定情報が消失されないため、不正コピーや改竄を防止することができる。
【００３８】
つぎに、原稿特定データ埋め込み角度の算出例について図５を基にして説明する。第１枚目のデジタル画像は、図４ａ）および図４ｂ）で説明した同じ方法により、図５ｂ）に示すように原稿特定データ埋め込み領域４０４の代表点と基準点Ｐ１（x１,y１）とを合致させて複製する。第２枚目のデジタル画像は、図５ｃに示すように基準点Ｐ１を中心点にして、原稿特定データ埋め込み領域４０４を時計回りに１度回転させて複製する。同様に１度ずつ回転角度を増やして原稿特定データ埋め込み領域４０４を回転させて、第３枚目、第４枚目・・第ｎ枚目のデジタル画像を複製する。また、図４で説明したように代表点を基準点からプラスｙ軸方向へ１ビット平行移動させた点（x１,y１+1）を回転の中心点にして、１度ずつ回転角度を増やして原稿特定データ埋め込み領域４０４を回転させても良い。中心点の位置、代表点の位置・移動量、回転方向および回転角度を画像特定情報に関連付けることによって、複製したデジタル画像の版・刷・利用者・購入者などを特定することができる。回転角度と移動量を画像特定情報に関連付けした一例を図６に示す。
【００３９】
尚、中心点の移動方向および移動量、回転方向、および回転角度移動量は本図に限定されるものではなく、目的に応じて適宜設定すればよい。例えば回転角度移動量を、不正コピーや改竄に使用される印刷装置や電子データ蓄積装置の想定されるプリント解像度や記録分解能以下に設定することによって、配布・配信したデジタル画像を印刷装置で出力された場合でも、あるいは低解像度のフォーマットにコピーされた場合でも原稿特定情報が消失されないため、不正コピーや改竄を防止することができる。
【００４０】
［第２の実施の形態］
図７は、本発明による他のデジタル画像作成装置７００の主要部をブロックで示したブロック構成図である。図１と同じ構成要素については同じ符号を付し説明を省略する。ここでは図１と異なる構成についてのみ説明する。
【００４１】
図１と異なる点は、電子透かし情報入力装置７０１と、電子データ蓄積部１０６に付加された電子透かし画像データ蓄積部７０２と、中央演算部１０７に付加された電子透かし画像データ埋め込み演算部７０３とが具備されている点である。電子透かし情報入力装置７０１としては、一般に良く知られている画像処理装置を用い得る。また、電子透かし画像データ埋め込み方法としては、特許文献１に記載されているような一般に良く知られている電子透かし画像処理方法が適用できる。
【００４２】
原稿の著作者・所有権者のＩＤコードやデジタル画像の利用者・購入者のＩＤコードの電子透かし画像データを、電子透かし情報入力装置７０１で作成し、電子透かし画像データ蓄積部７０２に蓄積する。電子透かし画像データ読み出し信号と、電子透かし画像データ埋め込み位置設定信号とを入力手段（図示していない）からコンピュータ１０１に入力する。すると、電子透かし画像データ読み出し信号に基づいて電子透かし画像データ蓄積部７０２から電子透かし画像データが読み出され、電子透かし画像データ埋め込み演算部７０３に入力される。電子透かし画像データ埋め込み演算部７０３では、原稿特定データ埋め込み領域４０２の中もしくはその周辺部に電子透かし画像データの埋め込み領域が演算され、電子透かし画像データ埋め込み位置設定信号で指定された位置に電子透かし画像データが埋め込まれる。
【００４３】
［第３の実施の形態］
本発明によるデジタル画像記録媒体の一作成例について説明する。デジタル画像作成装置１００もしくは７００を用いて、図４もしくは図５で説明したデジタル画像を作成しデジタル画像配信データ蓄積部１１１に蓄積する。そして、デジタル画像配信データ蓄積部１１１から所望のデジタル画像データを読み出し、ＤＶＤ記録装置・ＣＤ記録装置・磁気ディスク記録装置などの電子データ記録装置を用いて光ディスク・磁気ディスク・磁気テープ・半導体メモリなどの電子データ記録媒体に記録することによって、容易にデジタル画像記録媒体を作成することができる。
【００４４】
［第４の実施の形態］
図８は、本発明によるデジタル画像送信装置の一構成例をブロックで示したブロック構成図である。デジタル画像送信装置８０１は、配信データテーブル作成手段８０２と、デジタル画像データ８００の送信を制御する送信制御手段８０４とを有する画像サーバ８０３と、インターネット・衛星通信網・電話回線網・デジタルＴＶ放送網・ＬＡＮなどの伝送系８０７を介してデジタル画像データ８００を伝送する通信手段８０６などから構成されている。つぎに、このデジタル画像送信装置８０１を用いて、利用者から送信要望のあったデジタル画像データ８００を送信する方法の一例について説明する。
【００４５】
デジタル画像データ８００をデジタル画像作成装置１００（図１参照）もしくは７００（図７参照）で作成し、デジタル画像データ８００に付与されている原稿特定情報の埋め込み位置と、利用者特定情報入力装置８０５から入力した利用者特定情報とを関連付けした配信データを配信データ作成手段８０２で作成する。配信データの作成が完了すると、デジタル画像データ８００は画像サーバ８０３から通信手段８０６へ送られ、伝送系８０７を介して利用者のデジタル画像受信装置８０８、例えばパーソナルコンピュータへ送信される。これら一連の動作制御は送信制御手段８０４によって行われる。配信データ作成手段８０２で作成した配信データ表の一例を図９に示す。
【００４６】
尚、配信データ作成手段８０２で作成した配信データを蓄積する配信データ蓄積手段をデジタル画像送信装置８０１内に設けても良い。また、利用者特定情報は、図１で説明したデジタル画像作成装置１００に設けた利用者特定データ蓄積部から読み出しても良い。
【００４７】
［第５の実施の形態］
図１０は、本発明によるデジタル画像配受信システムの一構成例をブロックで示したブロック構成図である。デジタル画像配受信システム１０００は、デジタル画像配信システム１００１とデジタル画像受信システム１００２とが伝送系１００３を介して接続されており、デジタル画像配受信システム１０００から送信したデジタル画像データがデジタル画像受信システム１００２で受信できる構成になっている。
【００４８】
デジタル画像配信システム１００１は、デジタル画像作成装置１００（図１参照）もしくは７００（図２参照）と、デジタル画像送信装置８０１（図８参照）と、電子データ記録装置１００４などから構成されている。デジタル画像受信システム１００２は、利用者が保有しているパーソナルコンピュータ・ディスプレイ装置・デジタル画像蓄積装置・電子データ記録装置・デジタル印刷装置などからなるデジタル画像受信装置１００５、ＤＶＤ再生装置・ＣＤ再生装置などのデジタル画像再生装置１００６などで構成されている。
【００４９】
デジタル画像受信装置１００５は、デジタル画像の画像信号から原稿信号と原稿特定情報信号とを分離する画像信号分離手段を有していることが好ましい。このような構成にすることによって、ディスプレイ装置やデジタル印刷装置に原稿特定情報のない画像を表示あるいは印刷できる効果が得られる。
【００５０】
尚、本発明によるデジタル画像配受信システムは、電子データ記録装置１００４で作成したデジタル画像記録媒体を販売し、利用者がこれを購入する形態でデジタル画像情報を配受信するシステムも含まれている。
【００５１】
（具体的実施例１）
図１に示した構成からなるコンピュータ（ハードディスクメモリ容量：１４０ＧＢ、ＯＳ：Ｗｉｎｄｏｗｓ（登録商標））を用意した。カメラマンがデジタルカメラで撮影した写真の原稿データ（横：１４００ピクセル、縦：７００ピクセル）と、カメラマンが紙に書いた直筆の署名をデジタルスキャナで読み取った署名データとを、ＵＳＢ接続・メモリスティックなどのデータ転送手段でコンピュータに入力し、ハードディスク（電子データ蓄積部）に蓄積した。また、コンピュータに内蔵されているワープロソフトで作成した写真のタイトルデータをハードディスクに蓄積した。つぎに以下の方法により、署名データとタイトルデータとからなる原稿特定データを原稿データに埋め込んで第１版として１００刷のデジタル画像を複製した。
【００５２】
図４で説明した同様の方法により、幅１５０ピクセルの白枠を原稿データの周囲に貼り付けてＡ形式の画像データをｘ-ｙ直交座標上に作成した。得られた白枠付き画像データの大きさは、横１７００ピクセル（ｘ＝１７００）、縦１０００（ｙ＝１０００）である。つぎに、原稿特定データ埋め込み領域の大きさを横４００ピクセル（ｘ＝４００）、縦１００ピクセル（ｙ＝１００）に設定した。また、原稿特定データ埋め込み基準位置の基準点Ｐ１を（１２００,２５）に設定した。つぎに、図５に示した同様の方法により、原稿特定データ埋め込み領域の代表点と基準点Ｐ１とを合致させ、代表点を回転中心にして原稿特定データ埋め込み領域を時計回りに１度傾けて貼り付けた後、原稿特定データを原稿特定データ埋め込み領域に埋め込んで第１版第１刷のデジタル画像を形成した。
【００５３】
第１版第２刷以降のデジタル画像は、原稿特定データ埋め込み領域を１度傾斜したままの状態で、図４ｃで説明した同様の方法により、代表点を１ピクセルずつプラスｘ軸方向に移動して複製した。このように代表点を（１２９９,２５）まで移動させて１００刷のデジタル画像を複製し、ハードディスク（デジタル画像蓄積部）に蓄積した。そして、回転角度を版番に、代表点のｘ座標を刷順に、代表点の移動量を利用者にそれぞれ関連付けした。尚、原稿特定データ埋め込み領域の移動・回転および原稿特定データの埋め込みなどの画像処理は、Ａｄｏｂｅ社製の画像処理ソフト（商品名：「Ｐｈｏｔｏｓｈｏｐ」）を用いて行った。
【００５４】
（具体的実施例２）
具体的実施例１で作成した１００枚のデジタル画像データをハードディスクから順次読み出し、CD作成装置で１００枚のCD記録媒体に順次記録して、第１版として１００刷のデジタル画像記録媒体を作成した。
【００５５】
（具体的実施例３）
具体的実施例１で作成した１００枚のデジタル画像データをハードディスクから読み出し、図８に示したデジタル画像配信システムのデジタル画像蓄積部に蓄積した。そして、利用者１００人からの購入依頼に応じて、デジタル画像蓄積部から１００枚のデジタル画像を読み出し、通信処理部からインターネットを介してそれぞれの利用者に配信した。
【産業上の利用可能性】
【００５６】
本発明に係るデジタル画像作成装置およびデジタル画像記録媒体およびデジタル画像配信システムは、著作権保護を目的としたデジタル画像の作成・販売・配信の用途として有用である。
【図面の簡単な説明】
【００５７】
【図１】本発明によるデジタル画像作成装置の一構成例を示したブロック図。
【図２】本発明による原稿特定データ埋め込み演算処理の流れを示したフローチャート図。
【図３】本発明によるデジタル画像の一形態例を示した概念図。
【図４】本発明による原稿特定データ埋め込み位置移動方法の説明図。
【図５】本発明による原稿特定データ埋め込み位置移動方法の説明図。
【図６】本発明による回転角度と移動量を画像特定情報に関連付けた一例を示した図。
【図７】本発明によるデジタル画像作成装置の他の構成例を示したブロック図。
【図８】本発明によるデジタル画像送信装置の一構成例を示したブロック図。
【図９】本発明による配信データ表の一例を示した図。
【図１０】本発明によるデジタル画像配受信システムの一構成例を示したブロック図。
【符号の説明】
【００５８】
１００、７００  デジタル画像作成装置
１０１  コンピュータ
１０２  原稿入力装置
１０３  原稿特定情報入力装置
１０４  画像特定情報作成装置
１０８  原稿データ蓄積部
１０９  原稿特定データ蓄積部
１１０  画像特定データ蓄積部
１１４  原稿特定データ埋め込み位置演算部
１１５  原稿特定データ埋め込み角度演算部
１１６  原稿特定データ埋め込み演算部
４０１  白枠データ
４０２  デジタル画像
４０４  原稿特定データ
８０１  デジタル画像送信装置
８０３  画像サーバ
１０００  デジタル画像配受信システム
【図１】
2006352628.tif 000003
【図２】
2006352628.tif 000004
【図３】
2006352628.tif 000005
【図４】
2006352628.tif 000006
【図５】
2006352628.tif 000007
【図６】
2006352628.tif 000008
【図７】
2006352628.tif 000009
【図８】
2006352628.tif 000010
【図９】
2006352628.tif 000011
【図１０】
2006352628.tif 000012